(57)【要約】      （修正有）【課題】車両等の製造および修繕において、長期貯蔵寿命を有し、ガラスおよびセラミックへの急速硬化を有し、極限強さおよび伸びを有する、湿気硬化ポリウレタン接着剤の提供。【解決手段】ａ）イソシアネート基を有する少なくとも１種のポリウレタンポリマー、ｂ）少なくとも１種のシラン接着促進剤、ｃ）少なくとも１種のアミン触媒、およびｄ）少なくとも１種のキレート錯化剤を含んでなる湿気硬化接着剤組成物。有機スズ（ＩＶ）化合物、有機チタネートまたは有機ジルコネートから選択される金属触媒を含む、前記湿気硬化接着剤組成物。【選択図】なし【特許請求の範囲】
【請求項１】
ａ）イソシアネート基を含有する少なくとも１種のポリウレタンポリマー、
ｂ）少なくとも１種のシラン接着促進剤、
ｃ）少なくとも１種のアミン触媒、および
ｄ）少なくとも１種のキレート錯化剤
を含んでなる湿気硬化接着剤組成物。
【請求項２】
少なくとも１種の金属触媒を含んでなることを特徴とする、請求項１に記載の湿気硬化接着剤組成物。
【請求項３】
前記金属触媒が、有機スズ（ＩＶ）化合物、有機チタネートまたは有機ジルコネート、好ましくは有機スズ（ＩＶ）化合物からなる群から選択されることを特徴とする、請求項２に記載の湿気硬化接着剤組成物。
【請求項４】
前記金属触媒が、全組成物に基づき、０．００１重量％〜０．２重量％、より好ましくは０．００５重量％〜０．１重量％の範囲で存在する有機スズ（ＩＶ）化合物を含んでなることを特徴とする、請求項２または３に記載の湿気硬化接着剤組成物。
【請求項５】
キレート錯化剤対金属触媒のモル比が、２〜６、より特に２〜４の範囲であることを特徴とする、請求項２〜４のいずれか一項に記載の湿気硬化接着剤組成物。
【請求項６】
前記イソシアネート基含有ポリウレタンポリマーが、全組成物に基づき、１０重量％〜７０重量％、より特に１５重量％〜６０重量％、非常に好ましくは２０重量％〜５０重量％の量で存在することを特徴とする、請求項１〜５のいずれか一項に記載の湿気硬化接着剤組成物。
【請求項７】
前記シラン接着促進剤が、全組成物に基づき、０．０１重量％〜１重量％、より特に０．０５重量％〜０．５重量％の量で存在することを特徴とする、請求項１〜６のいずれか一項に記載の湿気硬化接着剤組成物。
【請求項８】
前記アミン触媒が、全組成物に基づき、０．０５重量％〜１重量％、より特に０．１重量％〜０．８重量％、非常に好ましくは０．１５重量％〜０．６重量％の量で存在することを特徴とする、請求項１〜７のいずれか一項に記載の湿気硬化接着剤組成物。
【請求項９】
前記キレート錯化剤が、全組成物に基づき、０．０１重量％〜０．５重量％、より特に０．０２重量％〜０．２重量％、非常に好ましくは０．０３重量％〜０．１重量％の量で存在することを特徴とする、請求項１〜８のいずれか一項に記載の湿気硬化接着剤組成物。
【請求項１０】
前記アミン触媒が、２，２’−ジモルホリノジエチルエーテルまたはその誘導体を含んでなることを特徴とする、請求項１〜９のいずれか一項に記載の湿気硬化接着剤組成物。
【請求項１１】
前記シラン接着促進剤が、３−グリシジルオキシプロピルトリメトキシシラン、β−（３，４−エポキシシクロヘキシル）エチルトリメトキシシラン、３−メルカプトプロピルトリメトキシシランおよび３−メタクリルオキシオキシプロピルトリメトキシシランからなる群から選択され、好ましくは３−グリシジルオキシプロピルトリメトキシシランであることを特徴とする、請求項１〜１０のいずれか一項に記載の湿気硬化接着剤組成物。
【請求項１２】
前記キレート錯化剤が、１，３−ジケトン、１，３−ケトエステル、１，３−ケトアミ
ドおよび８−ヒドロキシキノリンからなる群から選択され、好ましくは８−ヒドロキシキノリンであることを特徴とする、請求項１〜１１のいずれか一項に記載の湿気硬化接着剤組成物。
【請求項１３】
シラン接着促進剤およびアミン触媒を含んでなるポリウレタンをベースとする湿気硬化接着剤組成物が、好ましくは全組成物に基づき０．０１重量％〜０．５重量％、より好ましくは全組成物に基づき０．０２重量％〜０．２重量％、非常に好ましくは全組成物に基づき０．０３重量％〜０．１重量％の量の、キレート錯化剤と混合されることを特徴とする、前記湿気硬化接着剤組成物の安定化方法。
【請求項１４】
より特に車両組立または車両修繕におけるガラスまたはスクリーン印刷セラミックの接着用の、接着剤または封着剤としての請求項１〜１２のいずれか一項に記載の湿気硬化接着剤組成物の使用。
【請求項１５】
請求項１〜１２のいずれか一項に記載の湿気硬化接着剤組成物を水で硬化することにより得られうる硬化組成物。
【発明の詳細な説明】
【技術分野】
【０００１】
本発明は、製造業ならびに車両組立および車両修繕における接着および封着用途に、より特に、ガラスシートの接着結合に適切である、ポリウレタンをベースとする湿気硬化組成物に関する。
【背景技術】
【０００２】
ポリウレタンベースの湿気硬化接着剤は、例えば、自動車、トラック、列車またはボートなどの車両の製造および修繕において、ガラスシートの弾性接着および封着用として、工業製造において長い使用の歴史がある。特に、基板が組み立てられた直後にボンドが装填されるため、接着結合が迅速に摩擦的に固定されなければならない急速結合作業に関して、上記基板は、例えば、基板と接着剤との間の接着の発達を補助するために、活性剤またはプライマーで典型的に前処理される。しかしながら、前処理は、追加的な時間のかかる作業工程を含み、これは、費用がかかり、かつ複雑さを増加させ、したがって、接着結合作業の不具合が生じやすくなる。したがって、費用を低減し、そして作業信頼度を増加させるために、活性剤または下塗りで前処理されなかった基板にさえも、確実に、かつ非常に急速に有効な接着力を発達させる接着剤が強く望まれている。基板への接着剤の接着の発達を強化する１つの単純な手段は、それを、課題の基板において効果的な接着促進剤と混合することである。ガラスおよびスクリーン印刷セラミック基板に関して、そのような促進剤は、活性剤にも含有される種類の有機官能性シランである。しかしながら、これは、貯蔵期間中のシランとプレポリマーとの望ましくない反応のため、接着剤がその貯蔵寿命のいくらかを損失し得、接着剤がしばしば有意に濃厚化し、したがって、直後に適用することが不可能でない場合、困難であるという欠点を提起する。これはまた、接着剤に存在するシランが硬化時にアルコールを放出するため、硬化後にその機械的強度の低下を被り、そしてこのアルコールはポリウレタン中で連鎖停止反応を生じる。これらの影響は、接着剤が貯蔵および硬化の間に加熱される程度に比例して、そしてシラン基に触媒効果を有する接着剤に存在する物質の量に比例して悪化する。これらのシランは、次に、接着の発達におけるシランの急速な活性を確保するため、望ましい。シラン基に関して非常に活性な触媒は、特に、例えば、接着剤を硬化するための触媒として同時に、またそれより以前に、接着剤を含有するプレポリマーの調製の間に、しばしば使用されているジブチルスズジラウレートまたはジブチルスズジアセテートなどの有機スズ化合物である。有機スズ化合物のみならず、有機官能性シランも含んでなる１成分ポリウレタン接着剤は、鉱物基板に対する力の発達において特に迅速であるが、硬化後に特に短い貯蔵寿命および特に低い力を有する。反応性の低いシラン基を有する特別な有機官能性シランによって、望ましくない効果を軽減させることができるが、接着の発達は、特に２３℃以下の範囲の温度で遅くなる。現在まで入手可能な１成分ポリウレタン接着剤は、接着促進剤またはプライマーを使用せずに使用される場合、貯蔵寿命、作業性および接着の急速発達に関する必要条件の全てを達成することが不可能であった。したがって、そのような解決策が必要とされ続けている。
【発明の概要】
【発明が解決しようとする課題】
【０００３】
したがって、本発明の対象は、長期貯蔵寿命を有し、ガラスおよびスクリーン印刷セラミックなどの鉱物基板上での接着の急速発達とともに急速硬化を有し、また高い極限強さおよび極限伸びを有する湿気硬化ポリウレタン接着剤であって、ガラスシートが活性剤またはプライマーで必ず前処理されることをいずれも必要とせず、特に車両の製造および修繕において、ガラスシートの弾性接着および封着用に適切な接着剤を提供することである
。
【課題を解決するための手段】
【０００４】
驚くべきことに、今では請求項１で請求される組成物がこの対象を達成することが見出された。
【０００５】
本発明の接着剤組成物は長い貯蔵寿命を有し、これは、例えば、数カ月から１年までの長期の貯蔵期間の後でさえも、その適用特性、特に粘度における変化をほとんど示さず、したがって、意図された様式で使用することができることを意味する。それにもかかわらず、これは、高い適用温度であっても、急速に硬化し、高い強さおよび安定性を有する材料を形成する。それと同時に、比較的急速かつ確実に、前処理をほとんど受けていないか、または前処理を受けていない場合であっても、ガラスまたはスクリーン印刷セラミックなどの基板に対して効果的な接着を発達させ、したがって、高い作業信頼度を有する経済的な接着法への道が開ける。
【０００６】
本発明の別の対象は、キレート錯化剤を使用して、シラン接着促進剤およびアミン触媒を含んでなるポリウレタンベースの湿気硬化接着剤を安定化させる方法である。本発明の方法によって、接着剤が硬化速度および接着の発達の低下を被ることなく、接着剤の貯蔵寿命、すなわち、接着剤の特性、特に粘度がわずかのみしか変化せず、したがって、意図された様式での使用に適切なままである時間が有意に延長される。
【０００７】
本発明のさらなる態様は、さらなる独立請求項の対象である。本発明の特に好ましい実施形態は、従属請求項の対象である。
【発明を実施するための形態】
【０００８】
本発明の対象は、
ａ）イソシアネート基を含有する少なくとも１種のポリウレタンポリマー、
ｂ）少なくとも１種のシラン接着促進剤、
ｃ）少なくとも１種のアミン触媒、および
ｄ）少なくとも１種のキレート錯化剤
を含んでなる湿気硬化接着剤組成物である。
【０００９】
本明細書中、ポリオールまたはポリイソシアネートなどの「ポリ」で開始する物質名は、それらの名称に存在する官能基の１分子あたり２個以上を形式的に含有する物質を識別する。
【００１０】
一方、本明細書中、「ポリマー」という用語は、重合度、モル質量および鎖長に関して異なるが化学的に同一である高分子の集団であって、重合反応（連鎖生長反応付加重合、重付加、重縮合）によって調製された集団を含む。他方、この用語は、重合反応からの高分子のそのような集団の誘導体、言い換えると、例えば、既存の高分子上での官能基の付加または置換などの反応によって得られ、化学的に同一であり得るか、または化学的に非同一であり得る化合物も含む。さらに、この用語は、その官能基が高分子構造に関与した反応性オリゴマープレ付加物（ｐｒｅａｄｄｕｃｔ）であるプレポリマーと呼ばれるものも含む。
【００１１】
「ポリウレタンポリマー」という用語は、ジイソシアネート重付加プロセスとして既知のプロセスによって調製される全てのポリマーを含む。これには、ウレタン基を実質的に含まないか、または完全に含まないそれらのポリマーも含まれる。ポリウレタンポリマーの例は、ポリエーテル−ポリウレタン、ポリエステル−ポリウレタン、ポリエーテル−ポリウレア、ポリウレア、ポリエステル−ポリウレア、ポリイソシアヌレートおよびポリカ
ルボジイミドである。
【００１２】
本明細書中、「分子量」は、分子のモル質量（モルあたりのグラム）を示すと理解される。「平均分子量」は、分子のオリゴマーまたはポリマー混合物の数平均Ｍｎに関する用語であり、慣習的に、基準としてのポリスチレンに対するゲル透過クロマトグラフィー（ＧＰＣ）を使用して決定される。本明細書中、「室温」は、２３℃の温度を示す。
【００１３】
本発明の組成物の製造に関して、イソシアネート基を含有する適切なポリウレタンポリマーの例としては、少なくとも１種のポリオールと、少なくとも１種のポリイソシアネート、より特にジイソシアネートとの反応によって入手可能なポリマーが含まれる。この反応は、任意に適切な触媒の使用を伴って、例えば、５０℃〜１００℃の温度におけるような慣習的な方法によって反応するポリオールおよびポリイソシアネートによって生じ得、ポリイソシアネートは、そのイソシアネート基が、ポリオールのヒドロキシル基に対して化学両論的過剰量で存在するように計量される。
【００１４】
より特に、ポリイソシアネートの過剰量は、ポリオールの全てのヒドロキシル基の反応後に得られるポリウレタンポリマーにおいて、残留する遊離イソシアネート基含有量が、全ポリマーに基づき、０．１〜５重量％、好ましくは０．２〜３重量％、非常により好ましくは０．３〜２．５重量％であるように選択される。
【００１５】
ポリウレタンポリマーは、任意に、可塑剤の使用を伴って調製されてもよく、その場合、使用される可塑剤は、イソシアネートに対して反応性である基を含有しない。
【００１６】
記載された遊離イソシアネート基含有量を有する好ましいポリウレタンポリマーは、１．３：１〜４：１、より好ましくは１．５：１〜３：１、非常に好ましくは１．７：１〜２．５：１のＮＣＯ：ＯＨ比でジイソシアネートと高モル質量ジオールとの反応から得られるものである。
【００１７】
イソシアネート基を含有するポリウレタンポリマーを調製するために適切なポリオールは、特に、ポリエーテルポリオール、スチレン−アクリロニトリル−グラフト化ポリエーテルポリオール、ポリエステルポリオール、ポリカーボネートポリオール、ポリ（メタ）アクリレートポリオール、ポリヒドロキシ官能性死亡および油、またはポリハイドロカーボンポリオールおよびこれらのポリオールの混合物である。
【００１８】
ポリオキシアルキレンポリオールまたはオリゴエーテロール（ｏｌｉｇｏｅｔｈｅｒｏｌ）としても知られている特に適切なポリエーテルポリオールは、エチレンオキシド、１，２−プロピレンオキシド、１，２−または２，３−ブチレンオキシド、オキセタン、テトラヒドロフランまたはこれらの混合物の重合生成物であり、任意に、２個以上の活性水素原子を有する開始分子（ｓｔａｒｔｅｒ  ｍｏｌｅｃｕｌｅ）、例えば水、アンモニアまたは２個以上のＯＨもしくはＮＨ基を有する化合物、例えば１，２−エタンジオール、１，２−および１，３−プロパンジオール、ネオペンチルグリコール、ジエチレングリコール、トリエチレングリコール、異性体ジプロピレングリコールおよびトリプロピレングリコール、異性体ブタンジオール、ペンタンジオール、ヘキサンジオール、ヘプタンジオール、オクタンジオール、ノナンジオール、デカンジオール、ウンデカンジオール、１，３−および１，４−シクロヘキサンジメタノール、ビスフェノールＡ、水素化ビスフェノールＡ、１，１，１−トリメチロールエタン、１，１，１−トリメチロールプロパン、グリセロール、アニリン、ならびに上記化合物の混合物を用いて重合される。例えば、いわゆる二重金属シアニド錯体触媒（ＤＭＣ触媒）を用いて調製される、低い不飽和度（ＡＳＴＭ  Ｄ−２８４９−６９で測定され、ポリオールの１グラムあたりの不飽和ミリ当量（ｍｅｑ／ｇ）で表される）を有するポリオキシアルキレンポリオール、および例えば、Ｎ
ａＯＨ、ＫＯＨ、ＣｓＯＨまたはアルカリ金属アルコキシドなどのアニオン性触媒を用いて調製される、より高い不飽和度を有するポリオキシアルキレンポリオールの両方が使用されてよい。
【００１９】
特に適切なものは、ポリオキシエチレンポリオールおよびポリオキシプロピレンポリオール、特にポリオキシエチレンジオール、ポリオキシプロピレンジオール、ポリオキシエチレントリオールおよびポリオキシプロピレントリオールである。
【００２０】
特に適切なものは、０．０２ｍｅｑ／ｇ未満の不飽和度を有し、１０００〜３００００ｇ／モルの範囲の分子量を有するポリオキシアルキレンジオールまたはポリオキシアルキレントリオール、ならびに４００〜２００００ｇ／モルの分子量を有するポリオキシエチレンジオール、ポリオキシエチレントリオール、ポリオキシプロピレンジオールおよびポリオキシプロピレントリオールである。
【００２１】
同様に、特に適切であるものは、いわゆる、エチレンオキシド末端を有する（「ＥＯ−エンドキャップされた」、エチレンオキシド−エンドキャップされた）ポリオキシプロピレンポリオールである。後者は特定のポリオキシプロピレン−ポリオキシエチレンポリオールであり、これは例えば、純粋なポリオキシプロピレンポリオール、特にポリオキシプロピレンジオールおよびトリオールを、ポリプロポキシル化反応の完了後にエチレンオキシドでさらにアルコキシル化することによって得られ、したがってこれは第一級ヒドロキシル基を有する。この場合、ポリオキシプロピレン−ポリオキシエチレンジオールおよびポリオキシプロピレン−ポリオキシエチレントリオールが好ましい。
【００２２】
特に適切なポリエステルポリオールは、少なくとも２個のヒドロキシル基を有し、既知の方法、特にヒドロキシカルボン酸の重縮合、あるいは脂肪族および／または芳香族ポリカルボン酸と二価もしくは多価アルコールとの重縮合によって調製されるポリエステルである。
【００２３】
特に適切なものは、二価から三価のアルコール、例えば１，２−エタンジオール、ジエチレングリコール、１，２−プロパンジオール、ジプロピレングリコール、１，４−ブタンジオール、１，５−ペンタンジオール、１，６−ヘキサンジオール、ネオペンチルグリコール、グリセロール、１，１，１−トリメチロールプロパンまたは上記アルコールの混合物と、有機ジカルボン酸またはそれらの無水物もしくはエステル、例えばコハク酸、グルタル酸、アジピン酸、トリメチルアジピン酸、スベリン酸、アゼライン酸、セバシン酸、ドデカンジカルボン酸、マレイン酸、フマル酸、二量体脂肪酸、フタル酸、フタル酸無水物、イソフタル酸、テレフタル酸、ジメチルテレフタレート、ヘキサヒドロフタル酸、トリメリット酸およびトリメリット酸無水物、または上記酸の混合物とから調製されたポリエステルポリオール、ならびにラクトン、例えばε−カプロラクトンからのポリエステルポリオールである。
【００２４】
特に適切なものは、ポリエステルジオール、特にジカルボン酸としてアジピン酸、アゼライン酸、セバシン酸、ドデカンジカルボン酸、二量体脂肪酸、フタル酸、イソフタル酸およびテレフタル酸から、またはラクトン、例えばε−カプロラクトンから、かつ二価のアルコールとしてエチレングリコール、ジエチレングリコール、ネオペンチルグリコール、１，４−ブタンジオール、１，６−ヘキサンジオール、二量体脂肪酸ジオールおよび１，４−シクロヘキサンジメタノールから調製されるものである。
【００２５】
特に適切なポリカーボネートポリオールとは、例えば、ポリエステルポリオールを合成するために使用された上記アルコールと、ジメチルカーボネートなどのジアルキルカーボネート、ジフェニルカーボネートなどのジアリールカーボネート、またはホスゲンとの反
応によって得ることができる種類のものである。ポリカーボネートジオール、特に非晶質ポリカーボネートジオールが特に適切である。
【００２６】
他の適切なポリオールは、ポリ（メタ）アクリレートポリオールである。
【００２７】
同様に適切であるものは、ポリヒドロキシ−官能性脂肪および油、例えば天然の脂肪および油、特にヒマシ油、または天然の脂肪および油の化学変性によって得られる、いわゆるオレオケミカルポリオール、または例えば不飽和油のエポキシ化およびそれに続くカルボン酸またはアルコールによる開環によって得られるエポキシポリエステルまたはエポキシポリエーテル、あるいは不飽和油のヒドロホルミル化および水素化によって得られるポリオールである。さらに適切なものは、アルコール分解またはオゾン分解などの分解プロセス、およびそれに続く、例えば得られた分解生成物またはそれらの誘導体のエステル交換または二量体化などによる化学的結合によって天然の脂肪および油から得られるポリオールである。天然の脂肪および油の特に適切な分解生成物は、脂肪酸および脂肪アルコール、ならびに脂肪酸エステル、より特にメチルエステル（ＦＡＭＥ）であり、これらを例えば、ヒドロホルミル化および水素化によって、ヒドロキシ脂肪酸エステルに誘導体化してもよい。
【００２８】
同様に適切なものは、さらに、オリゴハイドロカーボノール（ｏｌｉｇｏｈｙｄｒｏｃａｒｂｏｎｏｌ）とも呼ばれるポリハイドロカーボンポリオールであり、例は、例えばＫｒａｔｏｎ  Ｐｏｌｙｍｅｒｓ，ＵＳＡにより製造される種類の、ポリヒドロキシ−官能性エチレン−プロピレン、エチレン−ブチレンまたはエチレン−プロピレン−ジエンコポリマー、あるいは１，３−ブタジエンまたはジエン混合物などのジエンと、スチレン、アクリロニトリルまたはイソブチレンなどのビニルモノマーとのポリヒドロキシ−官能性コポリマー、あるいはポリヒドロキシ−官能性ポリブタジエンポリオール、例えばポリブタジエンの酸化または１，３−ブタジエンとアリルアルコールとの共重合によって調製され、水素化されていてもよいものである。
【００２９】
さらに適切なものは、例えば、エポキシドまたはアミノアルコールから、およびＥｍｅｒａｌｄ  Ｐｅｒｆｏｒｍａｎｃｅ  Ｍａｔｅｒｉａｌｓ，ＬＬＣ，ＵＳＡからＨｙｐｒｏ（登録商標）ＣＴＢＮの名称で商業的に入手可能なカルボキシル末端アクリロニトリル／ブタジエンコポリマーから調製することができる種類のポリヒドロキシ−官能性アクリロニトリル／ブタジエンコポリマーである。
【００３０】
上記ポリオールは、好ましくは、２５０〜３００００ｇ／モル、特に１０００〜２００００ｇ／モルの平均分子量、および１．６〜３個の範囲の平均ＯＨ官能基を有する。
【００３１】
特に適切なポリオールは、ポリエーテルポリオール、特にポリオキシエチレンポリオール、ポリオキシプロピレンポリオールおよびポリオキシプロピレン−ポリオキシエチレンポリオール、好ましくはポリオキシエチレンジオール、ポリオキシプロピレンジオール、ポリオキシエチレントリオール、ポリオキシプロピレントリオール、ポリオキシプロピレン−ポリオキシエチレンジオールおよびポリオキシプロピレン−ポリオキシエチレントリオールである。
【００３２】
上記ポリオールに加えて、末端のイソシアネート基を有するポリウレタンポリマーを調製する場合、少量の低モル質量の二価または多価アルコール、例えば１，２−エタンジオール、１，２−および１，３−プロパンジオール、ネオペンチルグリコール、ジエチレングリコール、トリエチレングリコール、異性体ジプロピレングリコールおよびトリプロピレングリコール、異性体ブタンジオール、ペンタンジオール、ヘキサンジオール、ヘプタンジオール、オクタンジオール、ノナンジオール、デカンジオール、ウンデカンジオール
、１，３−および１，４−シクロヘキサンジメタノール、水素化ビスフェノールＡ、二量体脂肪アルコール、１，１，１−トリメチロールエタン、１，１，１−トリメチロールプロパン、グリセロール、ペンタエリトリトール、キシリトール、ソルビトールまたはマンニトールなどの糖アルコール、スクロースなどの糖類、他の高級アルコール、上記二価および多価アルコールの低モル質量のアルコキシル化生成物、ならびに上記アルコールの混合物を使用することが可能である。
【００３３】
ポリウレタンポリマーの調製のためのポリイソシアネートとしては、慣習的なポリイソシアネート、特にジイソシアネートが商業的に使用されてよい。
【００３４】
例えば、適切なジイソシアネートは、１，６−ヘキサメチレンジイソシアネート（ＨＤＩ）、２−メチルペンタメチレン−１，５−ジイソシアネート、２，２，４−および２，４，４−トリメチル−１，６−ヘキサメチレンジイソシアネート（ＴＭＤＩ）、１，１２−ドデカメチレンジイソシアネート、リシンジイソシアネートおよびリシンエステルジイソシアネート、シクロヘキサン１，３−ジイソシアネート、シクロヘキサン１，４−ジイソシアネート、１−イソシアナト−３，３，５−トリメチル−５−イソシアナトメチルシクロヘキサン（＝イソホロンジイソシアネートまたはＩＰＤＩ）、ペルヒドロ−２，４’−ジフェニルメタンジイソシアネートおよびペルヒドロ−４，４’−ジフェニルメタンジイソシアネート、１，４−ジイソシアナト−２，２，６−トリメチルシクロヘキサン（ＴＭＣＤＩ）、１，３−および１，４−ビス（イソシアナトメチル）シクロヘキサン、ｍ−およびｐ−キシリレンジイソシアネート（ｍ−およびｐ−ＸＤＩ）、ｍ−およびｐ−テトラメチル−１，３−キシリレンジイソシアネート、ｍ−およびｐ−テトラメチル−１，４−キシリレンジイソシアネート、ビス（１−イソシアナト−１−メチルエチル）ナフタレン、２，４−および２，６−トリレンジイソシアネート（ＴＤＩ）、４，４‘−、２，４’−および２，２’−ジフェニルメタンジイソシアネート（ＭＤＩ）、１，３−および１，４−フェニレンジイソシアネート、２，３，５，６−テトラメチル−１，４−ジイソシアナトベンゼン、ナフタレン１，５−ジイソシアネート（ＮＤＩ）、３，３’−ジメチル−４，４’−ジイソシアナトジフェニル（ＴＯＤＩ）、上記イソシアネートのオリゴマーおよびポリマー、ならびに上記イソシアネートのいずれかの所望の混合物であり、特に好ましいものは、ＭＤＩ、特に４，４’−ＭＤＩ異性体である。
【００３５】
本発明の組成物において、イソシアネート基を含有するポリウレタンポリマーは、全組成物に基づき、好ましくは１０重量％〜７０重量％の量、より好ましいくは１５重量％〜６０重量％の量、非常に好ましくは２０重量％〜５０重量％の量で存在する。
【００３６】
本発明の組成物は、少なくとも１種のシラン接着促進剤をさらに含んでなる。これらは、ケイ素原子上に少なくとも１個の非加水分解性有機基を有する個別の、または混合オルガノアルコキシシランであり、この基は、好ましくは、遊離電子対、共有結合、イオン性または他の機構によって、基板との相互作用を発達することが可能であり、したがって、基板への接着を発達させることが可能であるヘテロ原子を有する。これに関係する「非加水分解性」は、例えば、加水分解性ケイ素−酸素結合とは対照的なケイ素−炭素結合を意味する。ガラスなどの酸化ケイ素を含有する接着基板の場合、オルガノアルコキシシランのシラン基は、加水分解／縮合反応によって、毛版への共有結合的接着に介在し得、他方、有機基は接着剤組成物と、例えば、存在するいずれかのヒドロキシルまたはアミン基とポリウレタンポリマーのイソシアネート基との反応によって反応する。
【００３７】
適切なシラン接着促進剤は、有機基上に反応器を有するオルガノアルコキシシラン（「シラン」）、より特にエポキシシラン、メルカプトシラン、（メタ）アクリロシラン、イソシアナトシラン、アンヒドリドシラン、Ｓ（アルキルカルボニル）メルカプトシラン、アルジミノシラン、あるいはこれらのシランのオリゴマー型、あるいはアミノまたはメル
カプトシランとポリイソシアネートとの付加物である。
【００３８】
３−グリシジルオキシプロピルトリメトキシシラン、β−（３，４−エポキシシクロヘキシル）エチルトリメトキシシラン、３−メルカプトプロピルトリメトキシシランまたは３−メタクリルオキシオキシプロピルトリメトキシシランが好ましい。最も好ましくは、３−グリシジルオキシプロピルトリメトキシシランである。
【００３９】
組成物中のシラン接着促進剤の量は、好ましくは、全組成物に基づき、０．０１重量％〜１．０重量％、より特に０．０５重量％〜０．５重量％の範囲である。
【００４０】
本発明によるシラン接着促進剤の使用は、接着剤による基板に対する接着の発達が、基板があらかじめプライマーまたは活性剤で前処理されるといういずれかの必要もなく改善されるという利点を与える。これは、ガラスおよびスクリーン印刷セラミック基板に関して特に有利である。
【００４１】
本発明の組成物は、少なくとも１種のアミン触媒をさらに含んでなる。適切なアミン触媒は、第三級アミン、特に低ｐＫａ、好ましくは１２〜７のｐＫａを有するものである。適切なアミン触媒の例は、Ｎ−エチルジイソプロピルアミン、Ｎ，Ｎ，Ｎ’，Ｎ’−テトラメチルアルキレンジアミン、１，４−ジアザビシクロ［２．２．２］オクタン、そしてまた好ましくは２，２‘−ジモルホリノジエチルエーテル（ＤＭＤＥＥ）およびモルホリン環上に置換基を有するその誘導体である。特に好ましくはＤＭＤＥＥである。
【００４２】
好ましくは、本発明の組成物は、酸は上記触媒との中和反応によって実質的にアミン触媒の活性を抑制するため、酸の非実質的な量を含むか、または酸を含まない。酸の非実質的な量は、アミン触媒に基づき、１０モル％以下を構成するものである。
【００４３】
組成物中のアミン触媒の量は、全組成物に基づき、好ましくは０．０５重量％〜１．０重量％、より好ましくは０．１重量％〜０．８重量％、非常に好ましくは０．１５重量％〜０．６重量％の範囲である。
【００４４】
本発明の組成物は、少なくとも１種のキレート錯化剤をさらに含んでなる。「キレート錯化剤」は、本発明の意味において、金属カチオンと一緒に、単一または多価脱プロトン化型のキレート錯化剤が二座または多座配位子を表す金属錯体化合物を形成することが可能なイオン結合を含まない有機化合物である。キレート錯化剤によって錯体化が可能な金属カチオンは、（例えば、上記のイソシアネート基含有ポリウレタンポリマーの合成から）組成物の原材料にすでに存在していてもよく、またはそれらは、例えば、いずれかのその後添加された金属触媒（以下を参照のこと）から由来する。
【００４５】
キレート錯化剤として特に適切なものは、１，３−ジケトン、１，３−ケトエステル、１，３−ケトアミドおよび８−ヒドロキシキノリンの種類からの化合物である。
【００４６】
８−ヒドロキシキノリン、あるいは芳香族炭素原子上にアルキル置換基を有するその誘導体、アセチルアセトン、ジベンゾイルメタン、エチルアセトアセテートまたはＮ，Ｎ−ジエチルアセトアセトアミドがキレート錯化剤として好ましい。
【００４７】
特に好ましいキレート錯化剤は、少なくとも１個の芳香族環を含んでなるものである。
【００４８】
特に好ましくは８−ヒドロキシキノリンである。
【００４９】
さらに特に好ましくはジベンゾイルメタンである。
【００５０】
組成物中のキレート錯化剤の量は、全組成物に基づき、好ましくは０．０１重量％〜０．５重量％、より好ましくは０．０２重量％〜０．２重量％、非常に好ましくは０．０３重量％〜０．１重量％の範囲である。
【００５１】
本発明によるキレート錯化剤の使用は、特にシラン接着促進剤を含有する接着剤の貯蔵安定度が増加するという利点を与える。キレート錯化剤は、貯蔵期間にシランとプレポリマーとの望ましくない反応を抑制し、キレート錯化剤がない場合、接着剤は貯蔵期間に有意に濃厚化し、したがって、適用することが不可能でない場合、すぐに困難となる。さらに、キレート錯化剤がない場合、シラン接着促進剤含有接着剤において、接着剤に存在するシランが硬化時にアルコールを放出するため、硬化後にその機械的強度の低下もあり、そしてこのアルコールはポリウレタン中で連鎖停止反応を生じる。
【００５２】
記載された組成物は、好ましくは少なくとも１種の金属触媒を含んでなる。この触媒は、追加的に添加されてもよく、または例えば、イソシアネート基含有ポリウレタンポリマーの合成から、組成物の原材料にすでに存在していてもよい。有機スズ（ＩＶ）化合物、有機チタネートまたは有機ジルコネートが金属触媒として好ましい。有機スズ（ＩＶ）化合物が特に好ましい。有機スズ（ＩＶ）化合物としての適合性は、特に、ジアルキルスズオキシド、ジアルキルスズジクロリド、ジアルキルスズジカルボネートおよびジアルキルスズジケトン、好ましくは、ジブチルスズオキシド、ジブチルスズジクロリド、ジブチルスズジアセテート、ジブチルスズジラウレート、ジブチルスズジアセチルアセトネート、ジオクチルスズオキシド、ジオクチルスズジクロリド、ジオクチルスズジアセテート、ジオクチルスズジラウレートまたはジオクチルスズジアセチルアセトネートが有する。
【００５３】
組成物中の金属触媒の量は、全組成物に基づき、好ましくは０．００１重量％〜１．０重量％、より好ましくは０．００５重量％〜０．１重量％の範囲である。
【００５４】
組成物中で使用されるいずれの有機スズ（ＩＶ）化合物の量は、全組成物に基づき、好ましくは、０．００１重量％〜０．２重量％、より好ましくは０．００５重量％〜０．１重量％の範囲である。
【００５５】
キレート錯化剤対金属触媒のモル比は、好ましくは２〜６、より好ましくは２〜４の範囲である。
【００５６】
記載された組成物は、好ましくは、ポリウレタン接着剤に慣習的であるさらなる成分、特に充てん剤、可塑剤、レオロジー添加剤、接着促進剤、乾燥剤またはＵＶ光および酸化に関する安定化剤、ならびにこれらの種類のさらなる一般的な補助剤を含んでなる。
【００５７】
特に組成物は、少なくとも１種の充てん剤を含んでなる。充てん剤としての適合性は、特に、任意に脂肪酸、特にステアレートでコーティングされた、天然の、粉状のまたは沈殿したチョーク（全体的に、または主に炭酸カルシウムからなる）、硫酸バリウム（ＢａＳＯ４、バライトまたは重晶石とも呼ばれる）、焼成カオリン、酸化アルミニウム、水酸化アルミニウム、シリカ、特に熱分解プロセスからの微粉化シリカ、カーボンブラック、特に工業的に製造されたカーボンブラック、ＰＶＣパウダー、あるいは中空ビーズが有する。好ましい充てん剤は、炭酸カルシウム、焼成カオリン、カーボンブラック、微粉化シリカ、および難燃性充てん剤、例えば水酸化物または水和物、特にアルミニウムの水酸化物または水和物、好ましくは水酸化アルミニウムである。
【００５８】
異なる充てん剤の混合物を使用することも全体的に可能であり、有利でさえもあり得る。特に好ましい充てん剤は、微粉化炭酸カルシウム、焼成カオリンまたはカーボンブラッ
クである。微粉化炭酸カルシウムまたは焼成カオリンおよびカーボンブラックの組合せが最も好ましい。
【００５９】
組成物中の充てん剤の量は、全組成物に基づき、好ましくは、１０重量％〜７０重量％、より好ましくは２０重量％〜６０重量％、非常に好ましくは３０重量％〜５０重量％の範囲である。
【００６０】
組成物は特に少なくとも１種の可塑剤を含んでなる。可塑剤として特に適切であるものは、有機カルボン酸のエステル、より特にフタル酸ジイソノニルまたはフタル酸ジイソデシルなどのフタレート、ジイソノニル１，２−シクロヘキサンジカルボキシレートなどの水素化フタレート、ジオクチルアジペートなどのアジペート、アゼラートおよびセバケート、あるいは有機リン酸およびスルホン酸のエステル、またはポリブテンまたはポリイソブテンなどの炭化水素である。好ましい可塑剤は、フタレート、水素化フタレートまたはアジペートである。フタル酸ジイソノニル、フタル酸ジイソデシルまたはジイソノニル１，２−シクロヘキサンジカルボキシレートが最も好ましい。
【００６１】
組成物中の可塑剤の量は、全組成物に基づき、好ましくは、５重量％〜４０重量％、より好ましくは１０重量％〜３０重量％、非常に好ましくは１５重量％〜２５重量％の範囲である。
【００６２】
さらに、上記の通り、本発明の組成物は、ポリウレタン接着剤に関して慣習的な他の成分をさらに含んでなり得る。そのような成分は、例えば、
−架橋剤、例えば、ＭＤＩ、ＴＤＩ、ＨＤＩまたはＩＰＤＩなどのジイソシアネートのオリゴマーおよび誘導体、特にイソシアヌレート、カルボジイミド、ウレトンイミド、ビウレット、アロファネートおよびイミノオキサジアジンジオン、あるいはＭＤＩの混合物およびＭＤＩホモログ（ポリマーＭＤＩまたはＰＭＤＩ）；
−乾燥剤、例えば、ｐ−トシルイソシアネートおよび他の反応性イソシアネート、酸化カルシウムまたはモレキュラーシーブ；
−レオロジー変性剤、例えば、国際公開第０２／４８２２８Ａ２号パンフレットの第９〜１１ページにチキソトロピー剤（「チキソトロピー付与剤」）として記載される種類の尿素化合物が例である増粘剤、ポリアミドワックス、ベントナイトまたはヒュームドシリカ；
−熱、光および紫外線に対する安定化剤；−燃焼抑制剤；
−界面活性物質、例えば、湿潤剤、流量調整剤、脱気剤または脱泡剤；
−殺生物剤、例えば、除藻剤または殺菌剤；
ならびに、例えば、ポリエチレンの繊維、染料、顔料または当業者に既知の他の補助剤などの１成分イソシアネート含有組成物で慣習的に使用されるさらなる物質。
【００６３】
１つの特に好ましい実施形態において、本発明の組成物は、全組成物に基づき、
ａ）２０重量％〜５０重量％の少なくとも１種のイソシアネート官能性ポリマー、
ｂ）０．０５重量％〜０．５重量％の少なくとも１種のシラン接着促進剤、好ましくは３−グリシジルオキシプロピルトリメトキシシラン、
ｃ）０．１５重量％〜０．６重量％の少なくとも１種のアミン触媒、好ましくはＤＭＤＥＥ、
ｄ）０．００５重量％〜０．１重量％の少なくとも１種の有機スズ（ＩＶ）化合物、
ｅ）０．０３重量％〜０．１重量％の少なくとも１種のキレート錯化剤、好ましくは８−ヒドロキシキノリンまたはジベンゾイルメタン、
ｆ）３０重量％〜５０重量％の少なくとも１種の充てん剤、および
ｇ）１５重量％〜２５重量％の少なくとも１種の可塑剤
を含んでなる。
【００６４】
この種類の組成物は、例えば、ガラスシートの接着において、例えば、車両組立または車両修繕に関して、ガラスまたはスクリーン印刷セラミックを接着または封着するための接着剤として適切である。
【００６５】
任意に熱によって促進される湿気の影響下、本発明の組成物は、イソシアネート官能性ポリマーならびにいずれかの架橋剤および／または存在する潜在的なものの架橋によって急速に硬化する。組成物が外部から内部への湿分の拡散を通して硬化する場合、硬化のために必要な湿分は空気（大気水分）に由来し得る。あるいは、組成物は、水含有成分と接触し得るが、この接触は、例えば、延展によって、例えば、平滑化手段を使用することによって、または噴霧によって、または浸漬プロセスによって実行されるか、あるいは組成物を、例えば、静的混合機を使用して組成物と均質に、もしくは不均質に混合された水含有ペーストの形態の水含有成分と混合してもよい。
【００６６】
本発明の組成物は長い貯蔵寿命を有し、このことは、それが比較的長時間、貯蔵安定性であることを意味する。組成物は、比較的長時間、典型的に、少なくとも３カ月〜６カ月以上、貯蔵プロセスの結果としてその使用に関連する程度まで、その適用または使用特性、特に粘度、容器から適用時に必要とされる押出力および架橋速度においていずれの変化も被ることなく、適切な容器中で室温で保持されることができる場合、「貯蔵安定性」または「貯蔵可能」と記載される。これは、例えば、本発明の組成物に関して、（促進老化を生じる）１４日間６０℃で貯蔵後、２３℃において以下に記載される方法によって測定される押出力は、７日間２３℃で貯蔵された、新たに調製された組成物の押出力との比較において、好ましくは３倍以下、より好ましくは２．５倍以下、より特に２倍以下まで増加することを意味する。
【００６７】
本発明は、湿気硬化接着剤またはシーラントとしての上記組成物の使用をさらに含む。本発明の組成物は、特に、コンクリート、モルタル、れんが、タイル、石膏、花コウ岩または大理石などの天然の石、ガラス、ガラス−セラミック、スクリーン印刷セラミック、金属または金属合金、木材、プラスチックまたはペイントされた材料への適用に適切である。
【００６８】
本組成物は、好ましくは、例えば、ガラス、ガラス−セラミックまたはスクリーン印刷セラミック用の接着剤として使用される。
【００６９】
本発明の組成物は、好ましくは構造粘性の特性を有する、ペースト様粘稠度を有する。この種類の組成物は、例えばカートリッジからなどの適切な装置によって、またはより大きい容器からの歯状アプリケーターによって基板に適用される。良好な適用特性を有する本発明の組成物は、好ましくは、高いたわみ抵抗および低い歪み負荷を有し、かつまた低い粘度または押出力を有する。このことは、本発明の組成物は、わずかな力で歯状アプリケーターによって延展させることができるか、または押し出すことができ、適用後に適用された形態で残存し、したがって、離れていかず、かつ適用デバイスを下に置いた後、ストリングを形成しないか、または非常に短いストリングのみを形成し、基板は汚染されないことを意味する。
【００７０】
特に、本発明の組成物は、１４日間６０℃での調整後、以下により詳細に記載される方法（実施例を参照のこと）によって測定された低い押出力を有する。１つの好ましい実施形態において、測定された押出力は１５００Ｎ以下であり；最も好ましい実施形態においては１２５０Ｎ以下である。
【００７１】
本発明の組成物は、特に５℃〜４５℃の温度範囲で、好ましくは室温領域で適用され、
かつこれらの条件下で硬化される。任意選択的に、それは、適用の前に、例えば、カートリッジオーブンを使用して、２０℃〜１００℃の範囲、特に４０℃〜８０℃の範囲の温度に加熱される。
【００７２】
本発明は、さらに、接着剤組成物が、全組成物に基づき、好ましくは０．０１重量％〜０．５重量％、より好ましくは０．０２重量％〜０．２重量％、非常に好ましくは０．０３重量％〜０．１重量％の量のキレート錯化剤と混合されることを特徴とする、シラン接着促進剤およびアミド触媒を含んでなるポリウレタンをベースとする湿気硬化接着剤組成物の安定化方法に関する。この種類の組成物にキレート錯化剤を混合する効果は、硬化後の組成物の機械的特性および接着特性に有意に悪影響を与えずに、貯蔵安定度を改善することである。活性剤またはプライマーをわずかに使用する可能性があるか、または全く使用しない可能性のある１成分配合物が結果として可能である。キレート錯化剤は、好ましくは組成物の実際の配合の間に混合されるが、例えば、分配段階においてのみなど、後で混合されてもよい。しかしながら、キレート錯化剤の非存在下において、貯蔵安定度は、本発明による範囲まで保証されないということを保証する必要がある。
【００７３】
本発明は、さらに、水、特に大気水分の形態の水によるそれらの硬化後、上記組成物から得ることができる硬化組成物に関する。
【００７４】
本発明の組成物によって接着および／または封着された物品は、特に、建物、より特に構造工学または土木工学の建物において、工学的に製造された製品または消費者製品、より特に、窓、家庭電化製品、あるいは輸送手段または輸送手段の付随的な部品、より特にガラスシートを含んでなる。
【実施例】
【００７５】
記載された本発明をより詳細に説明するように意図される実施例を以下に開示する。本発明は、無論、記載されたこれらの実施例に限定されない。
【００７６】
測定方法の説明
引張強さおよび破断点伸びは、２３℃（室温、「ＲＴ」）および５０％の相対湿度において１４日（ｄ）間硬化された２ｍｍの層厚を有するフィルム上でＤＩＮ  ＥＮ  ＩＳＯ
５２７（引張速度：２００ｍｍ／分）に従って決定した。
【００７７】
押出力を決定するために、組成物を、内部がコーティングされたアルミニウムカートリッジ（外径４６．９ｍｍ、内径４６．２ｍｍ、長さ２１５ｍｍ、メートリックＩＳＯスレッドＭ１５×１．５ｍｍ）に配置し、そしてＮｏｖｅｌｉｓ  Ｇｅｒｍａｎｙ  ＧｍｂＨからのポリエチレンストッパー（直径４６．１ｍｍ）によって気密に封着した。２３℃で２４時間の調整後、カートリッジを開放し、そして押出デバイスを使用して含有量を押し出した。この目的のため、内径口５ｍｍのノズルがカートリッジスレッドにねじどめされた。押出デバイス（Ｚｗｉｃｋ／Ｒｏｅｌｌ  Ｚ００５）を使用して、６０ｍｍ／分の押出速度で組成物を押し出すために必要とされる力の測定を行った。報告された数値は、２２ｍｍ、２４ｍｍ、２６ｍｍおよび２８ｍｍの押出距離後に測定された力の平均値である。３０ｍｍの押出距離後、測定を停止した。
【００７８】
同一カートリッジを、それぞれの場合で、７日、１４日および２１日間、６０℃で貯蔵し、その後、室温まで冷却した後、さらなる測定系列を実行した。これらの押出力測定は、その後、最初の測定系列と同一手順で実行された。これらのさらなる測定系列を使用して、組成物の貯蔵安定度を推測した。
【００７９】
接着性を測定するために、製造された組成物の接着剤のビーズを、異なる貯蔵条件に暴
露された対応する基板に適用し、その後、「ビーズ試験」によって、室温（２３℃）および５０％の相対湿度において試験した。この試験は、接着面のすぐ上の終端部にビーズを切り込むことを伴う。ビーズの切り込まれた終端部は、丸型終端のピンセットで保持され、そして基板から引き抜かれる。これは、ピンセットの一角に慎重にビーズを巻いて、そしてビーズ引き抜き方向に対して、裸基板に向けて下方向へ、正しい角度で切れ目を配置することによって実行される。ビーズ引き抜き速度は、切れ目が約３秒ごとに作成されるように選択されるべきである。試験距離は少なくとも８ｃｍであるべきである。溶着ビードがはぎ取られた後、基板に残っている接着剤が査定される（粘着性破砕）。接着特性は、接着面の凝集成分の積算によって評価される（より大きい凝集成分がより良好な接着を意味する）。
１＝＞９５％の凝集破壊
２＝７５〜９５％の凝集破壊
３＝２５〜７５％の凝集破壊
４＝＜２５％の凝集破壊
５＝０％の凝集破壊（純粋に接着破壊）
【００８０】
接着実験のための貯蔵条件は、２３℃および５０％の相対湿度で７日（表３中の「７ｄ
ＲＴ」）；または２３℃および５０％の相対湿度で７日、それに続く、室温で水中に７日浸漬（表３中の「＋７ｄ  Ｈ２Ｏ」）；または２３℃および５０％の相対湿度で７日、それに続く、室温で水中に７日浸漬、それに続く、７０℃および１００％の相対湿度で７日（表３中の「＋７ｄ  ７０／１００」）であった。
【００８１】
上記の接着実験のために使用された基板（接着ベース）は、以下のガラスまたはセラミックコーティングガラス材料であった：セラミックコーティング、Ｆｅｒｒｏ  ３４０２型（「Ｆｅｒｒｏ  ３４０２」）、セラミックコーティング、Ｆｅｒｒｏ  １４２５１型（「Ｆｅｒｒｏ  １４２５１」）およびセラミックコーティング、Ｆｅｒｒｏ  １４２７９型（「Ｆｅｒｒｏ  １４２７８」）を有する自動車窓ガラス、ならびに空気面上で接着されたフロートガラス（「ガラスエア」）およびスズ面上で接着されたフロートガラス（「ガラススズ」）。これらの接着ベースは全て、Ｒｏｃｈｏｌｌ  ＧｍｂＨ，Ｇｅｒｍａｎｙから入手可能である。
【００８２】
イソシアネート基含有ポリウレタンポリマーＰ−１の調製
１３００ｇのポリオキシプロピレンジオール（Ａｃｃｌａｉｍ（登録商標）４２００  Ｎ，Ｂａｙｅｒ  ＭａｔｅｒｉａｌＳｃｉｅｎｃｅ  ＡＧ，Ｇｅｒｍａｎｙ；ＯＨ価２８．５ｍｇ  ＫＯＨ／ｇ）、２６００ｇのポリオキシプロピレン−ポリオキシエチレントリオール（Ｃａｒａｄｏｌ（登録商標）ＭＤ３４−０２，Ｓｈｅｌｌ  Ｃｈｅｍｉｃａｌｓ
Ｌｔｄ．，ＵＫ；ＯＨ価３５．０ｍｇ  ＫＯＨ／ｇ）、６００ｇの４，４’−メチレンジフェニルジイソシアネート（４，４’−ＭＤＩ；Ｄｅｓｍｏｄｕｒ（登録商標）４４  ＭＣ  Ｌ，Ｂａｙｅｒ  ＭａｔｅｒｉａｌＳｃｉｅｎｃｅ  ＡＧ，Ｇｅｒｍａｎｙ）および５００ｇのフタル酸ジイソデシル（ＤＩＤＰ；Ｐａｌａｔｉｎｏｌ（登録商標）Ｚ，ＢＡＳＦ  ＳＥ，Ｇｅｒｍａｎｙ）を８０℃で既知の方法によって反応させ、２．０５重量％の遊離イソシアネート基含有量を有するＮＣＯ末端ポリウレタンポリマーを形成した。
【００８３】
組成物Ｚ１〜Ｚ４ならびにＲｅｆ−１およびＲｅｆ−２の製造
真空混合機中、表１で指定された成分を、指定され多量および指定された順序で添加し、そして混合して、そして混合物を、最後に２０分間１０００〜１２００回転において減圧下で均質ペーストへと加工した。次いで、このペーストは、内部がコーティングされたアルミニウムガン適用カートリッジ中に分配された。
【００８４】
組成物Ｚ１〜Ｚ４は、本発明の実施例である。Ｒｅｆ−１およびＲｅｆ−２は、比較例
である。
【００８５】
【表１】
2020180296.tif 000002
【００８６】
【表２】
2020180296.tif 000003
【００８７】
【表３】
2020180296.tif 000004
【００８８】
接着実験は、接着の発達（７ｄ  ＲＴ以上）に関して、本発明の組成物Ｚ−２が、非キレート錯化有機スズ（ＩＶ）触媒（Ｚ−１）と実質的に同等であり、かつ純粋なアミン触媒（Ｚ−３）に関するよりも実質的に良好であることを明白に示す。したがって、キレート錯化剤の安定化作用は、接着の発達を犠牲にしない。
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
ａ）イソシアネート基を含有する少なくとも１種のポリウレタンポリマー、
ｂ）少なくとも１種のシラン接着促進剤、
ｃ）少なくとも１種のアミン触媒、および
ｄ）少なくとも１種のキレート錯化剤
を含んでなる湿気硬化接着剤組成物。
【外国語明細書】
2020180296000001.pdf
2020180296000002.pdf
2020180296000003.pdf